(57)【要約】【課題】システムを用いて設計されたキャビネットが標準品仕様のキャビネットである場合には、直ちに発注可能であり、納期の短縮を図ることができるキャビネット選定システムを提供する。【解決手段】ユーザが入力したデータを演算処理する演算部５と、入力されたデータ及び演算部の演算結果を記憶する記憶手段８と、キャビネットの形状情報を記憶させたデータベース７を備え、データベース７から最適な品名のキャビネットを選択し、ユーザ側の端末１に表示するキャビネット選定システムである。演算部５は入力された内容がデータベース７中の標準品と合致するか否か、及び加工の要否を判定し、標準品で加工が不要であると判定したときには、選定したキャビネットが標準品仕様であると判定して発注する。【選択図】図１
2016218699.tif 000002
【特許請求の範囲】
【請求項１】
ユーザが入力手段から入力したデータを演算処理する演算部と、
入力されたデータ及び演算部の演算結果を記憶する記憶手段と、
標準品を含む多数の品名のキャビネットの形状情報を記憶させたデータベースとを備え、
前記演算部はデータベースから最適なキャビネットを選択し、
出力手段によってユーザ側の端末に表示するキャビネット選定システムであって、
前記入力手段は、
キャビネットのサイズあるいは品名を入力する筐体入力手段と、
キャビネットへの加工の有無を入力する加工入力手段とを有し、
前記演算部は、
前記筐体入力手段から入力された内容が、
前記データベース中の標準品のキャビネットと合致するか否かを判定する標準品判定手段と、
加工入力手段からの入力より、キャビネットへの加工の要否を判定する加工判定手段と、
標準品判定手段が標準品のキャビネットと判定し、加工判定手段がキャビネットへの加工が不要であると判定したときには、選定したキャビネットが作図を必要としない標準品仕様であると判定する標準品仕様判定手段とを有することを特徴とするキャビネット選定システム。
【請求項２】
前記演算部は、前記標準品仕様判定手段により、選定したキャビネットが作図を必要としない標準品仕様であると判定したとき、出力手段を通じて発注を促す旨を通知する発注指定手段を有することを特徴とする請求項１記載のキャビネット選定システム。
【請求項３】
前記発注指定手段は、キャビネット発注システムにリンクさせるリンク手段を有することを特徴とする請求項２記載のキャビネット選定システム。
【請求項４】
前記演算部は、前記入力手段または記憶手段の情報をキャビネット発注システムに送信することを特徴とする請求項３記載のキャビネット選定システム。
【請求項５】
前記演算部は、前記加工判定手段が、加工が必要であると判定したとき、加工指定画面を表示させる加工指定画面表示手段を備えることを特徴とする請求項１または２に記載のキャビネット選定システム。
【請求項６】
前記演算部は、前記標準品仕様判定手段が、標準品仕様であると判定したとき、出力手段を通じて標準品のキャビネットの品名を表示することを特徴とする請求項１に記載のキャビネット選定システム。
【発明の詳細な説明】
【技術分野】
【０００１】
本発明は、電気機器等を収納するキャビネットの選定を行なうシステムに関するものである。
【背景技術】
【０００２】
配電盤、制御盤などに用いられる電気機器収納用キャビネットをユーザがメーカに発注するためには、ユーザがキャビネットのサイズ、孔加工の仕様、塗装色などを指定する必要がある。
【０００３】
キャビネットのサイズは内部に収納される電気機器の種類や数、その配置などによって決定される。またキャビネットに内部機器の取付けや配線の引出しなどのために孔加工が必要な場合には、孔加工位置や孔のサイズを指定する必要がある。しかしユーザが不慣れな場合には、最適な孔加工の仕様を決定することは必ずしも容易ではない。
【０００４】
そこで特許文献１に示されるように、ユーザとメーカとをインターネットなどの通信回線で接続し、ユーザがキャビネットのサイズ等を入力し、メーカ側のサーバと交信することによって、最適なキャビネットのサイズおよび孔加工の仕様を決定できるシステムが提案されている。またこのシステムでは、当然ながらキャビネットの塗装色の指定も行うことができる。
【０００５】
このシステムを用いて設計されたキャビネットは設計の都度その図面が新たに作成され、図面番号が付与されてメーカ側のサーバに保存される。ユーザはメーカにその図面番号及び数量を指定し、キャビネットを発注する。
【０００６】
一方、メーカは一般的によく使用されるキャビネットを標準品として規定し、常時ある程度の在庫を保有している。そして代理店等の従来のルートを通じて受注したキャビネットに関しては、標準品の一部変更で対応できる場合には、標準品をベースとした新たな図面を作成する。この場合には在庫されている標準品に部分的な変更を加えればよいため、短い納期で納品することができる。
【０００７】
しかし、前記したシステムを用いて設計および発注がなされたキャビネットについては、仮に標準品に近い設計であったとしても、全て新たな受注品として製造する。このため設計されたキャビネットが標準品と同一または標準品に近い仕様であっても、納期が遅くなるという問題があった。
【先行技術文献】
【特許文献】
【０００８】
【特許文献１】特開２０１４−１８２４２８号公報
【発明の概要】
【発明が解決しようとする課題】
【０００９】
従って本発明の目的は上記した従来の問題点を解決し、システムを用いて設計されたキャビネットが標準品と同一または標準品に近いキャビネットである場合には、標準品仕様のキャビネットとして発注可能であり、納期の短縮を図ることができるキャビネット選定システムを提供することである。
【課題を解決するための手段】
【００１０】
上記の課題を解決するためになされた本発明は、ユーザが入力手段から入力したデータを演算処理する演算部と、入力されたデータ及び演算部の演算結果を記憶する記憶手段と、標準品を含む多数の品名のキャビネットの形状情報を記憶させたデータベースとを備え、前記演算部はデータベースから最適なキャビネットを選択し、出力手段によってユーザ側の端末に表示するキャビネット選定システムであって、前記入力手段は、キャビネットのサイズあるいは品名を入力する筐体入力手段と、キャビネットへの加工の有無を入力する加工入力手段とを有し、前記演算部は、前記筐体入力手段から入力された内容が、前記データベース中の標準品のキャビネットと合致するか否かを判定する標準品判定手段と、加工入力手段からの入力より、キャビネットへの加工の要否を判定する加工判定手段と、標準品判定手段が標準品のキャビネットと判定し、加工判定手段がキャビネットへの加工が不要であると判定したときには、選定したキャビネットが作図を必要としない標準品仕様であると判定する標準品仕様判定手段とを有することを特徴とするものである。
【００１１】
請求項２の発明は請求項１の発明において、前記演算部は、前記標準品仕様判定手段により、選定したキャビネットが作図を必要としない標準品仕様であると判定したとき、出力手段を通じて発注を促す旨を通知する発注指定手段を有することを特徴とする。
【００１２】
請求項３の発明は請求項１の発明において、前記発注指定手段は、キャビネット発注システムにリンクさせるリンク手段を有することを特徴とする。
【００１３】
請求項４の発明は請求項３の発明において、前記演算部は、前記入力手段または記憶手段の情報をキャビネット発注システムに送信することを特徴とする。
【００１４】
請求項５の発明は請求項１または２の発明において、前記演算部は、前記加工判定手段が、加工が必要であると判定したとき、加工指定画面を表示させる加工指定画面表示手段を備えることを特徴とする。
【００１５】
請求項６の発明は請求項１の発明において、前記演算部は、前記標準品仕様判定手段が、標準品仕様であると判定したとき、出力手段を通じて標準品のキャビネットの品名を表示することを特徴とする。
【発明の効果】
【００１６】
本発明によれば、ユーザが入力手段から入力したデータに基づいてデータベースから選択されたキャビネットが標準品仕様のものであるか否かを判定し、標準品仕様のものである場合には、ユーザにその旨を通知し、ユーザはそれ以上の手数をかけることなく発注することができる。
【００１７】
また請求項３、４の発明によれば、本発明のキャビネット選定システムにより確定された情報をキャビネット発注システムに送ることによって、ユーザがキャビネットの発注を容易に行うことができる。また、請求項６の発明によれば、標準品のキャビネットの品名を表示することによって、ユーザは表示された品名をキャビネット発注システムにて入力することにより容易に注文可能としている。
【図面の簡単な説明】
【００１８】
【図１】システム全体を示すブロック図である。
【図２】品名を入力する場合の入力画面を示す図である。
【図３】サイズを入力する場合の入力画面を示す図である。
【図４】サイズ入力により標準品を選択した場合の入力画面を示す図である。
【図５】サイズ入力により標準品を選択した場合の入力画面を示す図である。
【図６】データベースの内容の説明図である。
【図７】孔加工等を必要としない標準品を選択した場合の入力画面を示す図である。
【図８】孔加工等を必要としない標準品を選択した場合の入力画面を示す図である。
【図９】孔加工等を必要とする筐体を選択した場合の入力画面を示す図である。
【図１０】孔加工の入力画面を示す図である。
【図１１】内容確認画面を示す図である。
【図１２】発注システムの画面を示す図である。
【図１３】本発明のキャビネット選定システムのフロー図である。
【図１４】発注システムのフロー図である。
【発明を実施するための形態】
【００１９】
以下に図面を参照しつつ、本発明の実施形態を説明する。
図１はシステムの全体図であり、１はユーザ側の端末、２は本発明のキャビネット選定システム１９が搭載されたメーカ側のサーバであり、これらの端末１とサーバ２は、インターネット等のネットワークや専用回線等によってデータ送受信可能に接続されている。図１ではキャビネット選定システム１９と後述するキャビネット発注システム２０に対応させて２台の端末を図示したが、同一端末であってもよい。実際にはユーザ側の端末１は多数である。
【００２０】
サーバ２は必ずしもメーカの構内に設置される必要はなく、遠隔のデータセンター内に設置してもよい。ユーザ側の端末１は入力手段３とモニタ等の表示部４とを備えている。メーカ側のサーバ２は、演算部５、出力手段６、データベース７、記憶手段８を備えている。以下に各部の詳細を説明する。
【００２１】
端末１の入力手段３は、ユーザが注文しようとするキャビネットのサイズあるいは品名を入力する筐体入力手段９と、キャビネットの加工の有無を入力する加工入力手段１０とを備えている。筐体入力手段９は、ユーザが注文しようとするキャビネットのサイズやオプションの有無を含むキャビネットの形状を入力するものである。ここでオプションとしては、例えば鉄製基板や基台の付加を挙げることができる。
【００２２】
ユーザがメーカのキャビネットの品名を認識しておれば、図２に示す入力画面の品名記号の欄にその品名を直接入力すればよい。またユーザがキャビネットの品名を知らない場合には、図２のサイズ入力ボタンをクリックし、入力画面を図３に示すようにサイズ入力画面に切替え、縦横深さ等の数値データを入力すればよい。なお、本実施形態においては、プルダウンにより所定のサイズを選択可能としている。この場合に、入力された数値データに近いメーカが指定する標準品のキャビネットだけを選択できるように、ユーザが選択することも可能である。その場合の入力画面を図４、図５に示す。このときユーザは筐体入力手段９から、オプションの有無なども併せて入力することができる。
【００２３】
次にユーザは加工入力手段１０から、キャビネットへの加工の有無を入力する。加工の具体例としては、キャビネットに対する孔加工や、キャビネットへのネームプレートの取付け加工等を挙げることができる。なお、キャビネットに対する孔加工は、電気機器の取付孔や電気機器として換気扇を取り付ける場合の通気孔に使用されるために行うものである。これらの入力画面を図２〜図５に示す。本実施形態の加工入力手段１０の入力方法としては、キャビネットへの孔加工が有る場合には図９に示すようにチェックを付け、キャビネットへの孔加工が無い場合は図８に示すようにチェックを外すという選択方法が用いられている。その他、有り無しのどちらかをチェックを付ける選択方法であっても良い。
【００２４】
図１に示したメーカ側のサーバ２のデータベース７には、図６に示すようにキャビネットの品名、サイズ、鉄製基板の有無、標準品のキャビネットであるか否か等のキャビネットの形状情報が記憶されている。標準品のキャビネットは一般的に使用されることの多いキャビネットである。
【００２５】
サーバ２の演算部５は、筐体入力手段９と加工入力手段１０とを通じてユーザが入力した情報を演算処理する機能を有する。この演算部５には、筐体入力手段９から入力された内容が前記データベース中の標準品のキャビネットと合致するか否かを判定する標準品判定手段１１と、加工入力手段１０からの入力により、キャビネットへの加工の要否を判定する加工判定手段１２とを備えている。なお、加工判定手段１２は図８、図９に示すように加工入力手段１０で孔加工の有りにチェックが付与されている場合に孔加工が必要と判定するものである。
【００２６】
標準品判定手段１１は、筐体入力手段９から入力されたデータをデータベース７に記憶されている標準品データと比較し、標準品データと一致しているか否かを判断する。その結果はユーザの端末１に表示される。この判断は加工入力手段１０からの入力後に行なってもよいが、図４に示すように、筐体入力手段９から入力直後に標準品データと一致しているか否かを判断して表示すれば、ユーザがキャビネットの選択をし直すか否かの判断を行ない易い。
【００２７】
加工判定手段１２は、加工入力手段１０から入力された内容に基づいて、キャビネットへの加工の要否を判断する。そして、標準品判定手段１１が標準品のキャビネットであると判断し、かつ、加工判定手段１２がキャビネットへの加工が不要であると判断した場合には、標準品仕様判定手段１６により、新たに作図を行なう必要のない標準品仕様のキャビネットが選択されたと判定する。標準品仕様判定手段１６により、選定したキャビネットが作図を必要としない標準品仕様であると判定したとき、演算部５の発注指定手段１４が出力手段６を通じてユーザの端末に、図８に示すようにユーザが選択したキャビネットは標準品仕様であることや標準品のキャビネットの品名を通知表示する。ユーザは表示された品名をキャビネット発注システム２０にて入力することにより容易に注文可能としている。
【００２８】
詳しくは、ユーザはそれ以上の入力の必要がなく、このままキャビネット発注システム２０にて発注すればよいため、発注指定手段１４によりキャビネット発注システム２０で発注処理を促す旨をユーザの端末１に通知させる。この際、発注指定手段１４により発注処理を促す旨として、発注可能である旨をユーザの端末１に表示させる方法、発注画面を直接表示させる方法、または、図８に示すように、作図を必要としない標準品仕様を選択していた場合は、キャビネット発注システム２０へ移動させるリンク手段１５を備えた発注システムのボタンをユーザの端末１に表示させ、ユーザに発注を行わせることを可能としている。そのため、メーカは標準品を出荷するだけでよいためユーザは手間を掛けることなく発注可能とするとともに、納期を短縮することができる。しかしそれ以外の場合には、次の加工・作図が行われる。
【００２９】
図９に示すように孔加工が必要な場合には、加工判定手段１２が、孔加工が必要であると判定したとき、ユーザの端末１上にボタンが現れ、画面の右下の孔加工指定のボタンをクリックすると、演算部５の加工指定画面表示手段１３が作動し、図１０に示す孔加工の加工指定画面が表示される。または、加工判定手段１２により加工の可否を判定したとき、加工指定画面表示手段１３により自動的に加工指定画面を表示させるものであっても良いものである。なお、孔加工の加工指定画面にはキャビネット筐体の６面を順次表示できるようになっており、ユーザは孔加工位置を指定する作図を行なう。作図は図１０の右側のアイコンを用いて行なうことができる。
【００３０】
なお、上記実施形態は、加工判定手段１２が孔加工の有無の判定より、キャビネットへの加工の要否を判定するものであるが、その他、加工入力手段１０でネームプレートの有無を入力されるものであった場合、加工判定手段１２により、加工入力手段１０からの入力により、加工判定手段１２がネームプレートのキャビネットへの取付け加工の要否を判定するものであっても良い。そして、加工が必要な場合は、加工指定画面表示手段１３によりネームプレートの加工指定画面を表示し、文字の入力・取付箇所等を指定する作図を行なうものである。
【００３１】
上記した演算部５の演算内容及び入力手段３からの入力内容は、記憶手段８に記憶されている。孔加工の作図が終わった後に、演算部５は記憶手段８からこれらの情報を呼び出し、出力手段６が端末１の表示部４に図１１に示した内容確認画面に表示させる。またこれとともに、作成された穴加工の図面に新たに図面番号を付与し、記憶手段８に記憶させる。
【００３２】
ユーザは内容確認画面の表示内容を確認し、必要があれば入力画面のボタンをクリックして図２のように、筐体入力手段９による入力、加工入力手段１０の入力を行うステップに戻る。この際、表示内容に間違いがなければ、図８と同様にキャビネット発注システム２０へ移動させるリンク手段１５をユーザの端末１に表示させ、ユーザに発注を行わせることを可能としている。なお、リンク手段１５によりキャビネット発注システム２０へ移動したとき、演算部５の発注手段１４が出力手段６を通じて、発注システム２０に図面番号または記憶手段８に収納された入力情報からなる発注情報を送り、キャビネットの発注が行われるようにしてもよい。このように、発注指定手段１４のリンク手段１５が発注システム２０に発注情報もリンクさせるようにしておけば、発注システム２０への再入力を行なう必要がない。なお、標準品仕様のキャビネットを選択したときに表示されるリンク手段１５によりキャビネット発注システム２０へ移動したときも、同様に入力された標準品キャビネットの品名を送り、キャビネットの発注が行われるようにしてもよい。
【００３３】
このキャビネット発注システム２０は本発明の範囲外のものであり、演算部２１、データベース２２、記憶手段２３、出力手段２４、注文手段２５を備えている。なお、記憶手段２３は前記したサーバ２の記憶手段８と兼用させることが好ましい。
【００３４】
演算部２１は発注指定手段１４のリンク手段１５から送られてきた発注情報や、ユーザの入力手段３から直接入力されたキャビネットの品名、または孔加工図面の図面番号に基づいてデータベース２２や記憶手段２３から必要データを検索し、出力手段２４がユーザの端末１の表示部４に発注内容を図１２のように表示させる。これによりユーザは内容を確認後、端末１から注文手段２５に発注台数を含む注文指示を送ることによって、容易に発注を行なうことができる。注文を受けた発注システム２０の演算部２１は、ユーザの端末１に予定納期を表示させる。
【００３５】
図１３は以上に説明した本発明のキャビネット選定システムのフロー図である。システムをスタートさせると、サーバ２が図２に示すような筐体選定画面をユーザの端末１に表示させる。ユーザは品名を認識している場合には品名記号を入力し、品名が分からない場合にはサイズを入力し、サーバ２がそのサイズに対応する品名をユーザの端末１に表示する。
【００３６】
ユーザは次に孔加工の要否や塗装色の指定を行ない、サーバ２は標準品であるか否かを判断する。ユーザが入力した内容が標準品仕様のキャビネットであり、キャビネットへの孔加工が不要なものであれば、そのままキャビネット発注システム２０で発注するように通知表示させる。この場合にはメーカは標準品を出荷すればよいので、納期を短縮することができる。またユーザが入力した内容が標準品のキャビネットでなかったり、孔加工が必要な場合には、孔加工等の作図が行われ、新たな図面番号を付与して保存される。その後、キャビネット発注システム２０で発注するように通知表示させる。
【００３７】
図１４は発注システムのフロー図である。システムをスタートさせると、図面番号の入力または品名の入力が行われる。図面番号が入力された場合には、記憶手段から図面を読出し発注に移行する。品名が入力された場合には、データベースからその品名のデータを読み出し、発注に移行する。その後、メーカが製作を行ない、ユーザに納品される。
【００３８】
以上に説明したように、本発明のキャビネット選定システムによれば、ユーザが入力したデータに基づいてサーバが標準品仕様のキャビネット筐体であるか否かを判定し、標準品仕様のものである場合には、ユーザはそれ以上の手数をかけることなく発注することができる。またメーカは在庫されている標準品に必要な加工を加えるだけで出荷することができ、従来に比べて納期を大幅に短縮することが可能となる。
【符号の説明】
【００３９】
１  端末
２  サーバ
３  入力手段
４  表示部
５  演算部
６  出力手段
７  データベース
８  記憶手段
９  筐体入力手段
１０  加工入力手段
１１  標準品判定手段
１２  加工判定手段
１３  加工指定画面表示手段
１４  発注指定手段
１５  リンク手段
１６  標準品仕様判定手段
１９  キャビネット選定システム
２０  キャビネット発注システム
２１  演算部
２２  データベース
２３  記憶手段
２４  出力手段
２５  注文手段
【図１】
2016218699.tif 000003
【図６】
2016218699.tif 000004
【図１１】
2016218699.tif 000005
【図１３】
2016218699.tif 000006
【図１４】
2016218699.tif 000007
【図２】
2016218699.tif 000008
【図３】
2016218699.tif 000009
【図４】
2016218699.tif 000010
【図５】
2016218699.tif 000011
【図７】
2016218699.tif 000012
【図８】
2016218699.tif 000013
【図９】
2016218699.tif 000014
【図１０】
2016218699.tif 000015
【図１２】
2016218699.tif 000016